(57)【特許請求の範囲】
【請求項１】
テレビ放送又はラジオ放送のＣＭ（commercial message）枠各々にＣＭ素材を対応付けたＣＭ進行データであって、１つの前記ＣＭ枠に複数の前記ＣＭ素材を対応付けるとともに、対応付けられている複数の前記ＣＭ素材各々が放送される放送条件を定めることが可能な前記ＣＭ進行データを取得するＣＭ進行データ取得手段と、
前記放送条件を満たすか否かを判定するための判定情報を取得する判定情報取得手段と、
前記判定情報と、前記放送条件とに基づき、前記ＣＭ枠各々で放送される前記ＣＭ素材を決定するＣＭ素材決定手段と、
を有し、
前記ＣＭ進行データにおいて、１つの前記ＣＭ枠に対応付けられた複数の前記ＣＭ素材の中から前記放送条件を満たす前記ＣＭ素材が同時に複数発生しないように、前記放送条件が定められているＣＭ管理装置。
【請求項２】
請求項１に記載のＣＭ管理装置において、
前記ＣＭ素材決定手段は、前記ＣＭ進行データにおいて１つの前記ＣＭ枠に複数の前記ＣＭ素材が対応付けられている場合、前記判定情報に基づき前記放送条件を満たすと判定された前記ＣＭ素材を、当該ＣＭ枠で放送される前記ＣＭ素材として決定するＣＭ管理装置。
【請求項３】
請求項１又は２に記載のＣＭ管理装置において、
前記ＣＭ素材決定手段は、前記ＣＭ進行データにおいて１つの前記ＣＭ枠に１つの前記ＣＭ素材が対応付けられている場合、対応付けられている前記ＣＭ素材を、当該ＣＭ枠で放送される前記ＣＭ素材として決定するＣＭ管理装置。
【請求項４】
請求項１から３のいずれか１項に記載のＣＭ管理装置において、
前記ＣＭ進行データにおいて、１つの前記ＣＭ枠に対応付けられた複数の前記ＣＭ素材各々には、互いに異なる所定の値が対応付けられており、
前記判定情報取得手段は、複数の前記ＣＭ素材に対応付けられた値の中の何れかを、前記判定情報として取得し、
前記ＣＭ素材決定手段は、前記判定情報取得手段が取得した値に対応する前記ＣＭ素材を、当該ＣＭ枠で放送される前記ＣＭ素材として決定するＣＭ管理装置。
【請求項５】
請求項１から４のいずれか１項に記載のＣＭ管理装置において、
前記ＣＭ進行データでは、前記ＣＭ素材各々の放送が禁止される放送禁止条件をさらに定めることが可能であり、
前記判定情報取得手段は、前記判定情報として、前記放送禁止条件を判定するための情報をさらに取得し、
前記ＣＭ素材決定手段は、前記判定情報と、前記放送条件と、前記放送禁止条件とに基づいて、前記ＣＭ枠各々で放送される前記ＣＭ素材を決定するＣＭ管理装置。
【請求項６】
請求項５に記載のＣＭ管理装置において、
前記ＣＭ素材決定手段は、前記放送条件に基づき前記ＣＭ枠で放送されると決定された前記ＣＭ素材に前記放送禁止条件が定められている場合、前記判定情報と、前記放送禁止条件とに基づいて、当該ＣＭ素材が前記放送禁止条件を満たさないか判定し、満たさない場合、当該ＣＭ素材を当該ＣＭ枠で放送される前記ＣＭ素材として決定し、満たす場合、予め定められた差替ＣＭ素材を、当該ＣＭ枠で放送される前記ＣＭ素材として決定するＣＭ管理装置。
【請求項７】
請求項６に記載のＣＭ管理装置において、
前記ＣＭ素材決定手段は、前記放送条件に基づき前記ＣＭ枠で放送されると決定された前記ＣＭ素材に前記放送禁止条件が定められていない場合、当該ＣＭ素材を当該ＣＭ枠で放送される前記ＣＭ素材として決定するＣＭ管理装置。
【請求項８】
テレビ放送又はラジオ放送のＣＭ枠各々にＣＭ素材を対応付けるとともに、前記ＣＭ素材各々の放送が禁止される放送禁止条件を定めることが可能なＣＭ進行データを取得するＣＭ進行データ取得手段と、
前記放送禁止条件を判定するための判定情報を取得する判定情報取得手段と、
前記判定情報と、前記放送禁止条件とに基づいて、前記ＣＭ枠各々に対応付けられた前記ＣＭ素材が前記放送禁止条件を満たさないか判定し、満たさない場合、当該ＣＭ素材を当該ＣＭ枠で放送される前記ＣＭ素材として決定し、満たす場合、予め定められた差替ＣＭ素材を、当該ＣＭ枠で放送される前記ＣＭ素材として決定するＣＭ素材決定手段と、
を有するＣＭ管理装置。
【請求項９】
コンピュータが、
テレビ放送又はラジオ放送のＣＭ枠各々にＣＭ素材を対応付けたＣＭ進行データであって、１つの前記ＣＭ枠に複数の前記ＣＭ素材を対応付けるとともに、対応付けられている複数の前記ＣＭ素材各々が放送される放送条件を定めることが可能な前記ＣＭ進行データを取得するＣＭ進行データ取得工程と、
前記放送条件を満たすか否かを判定するための判定情報を取得する判定情報取得工程と、
前記判定情報と、前記放送条件とに基づき、前記ＣＭ枠各々で放送される前記ＣＭ素材を決定するＣＭ素材決定工程と、
を実行し、
前記ＣＭ進行データにおいて、１つの前記ＣＭ枠に対応付けられた複数の前記ＣＭ素材の中から前記放送条件を満たす前記ＣＭ素材が同時に複数発生しないように、前記放送条件が定められているＣＭ管理方法。
【請求項１０】
コンピュータを、
テレビ放送又はラジオ放送のＣＭ枠各々にＣＭ素材を対応付けたＣＭ進行データであって、１つの前記ＣＭ枠に複数の前記ＣＭ素材を対応付けるとともに、対応付けられている複数の前記ＣＭ素材各々が放送される放送条件を定めることが可能な前記ＣＭ進行データを取得するＣＭ進行データ取得手段、
前記放送条件を満たすか否かを判定するための判定情報を取得する判定情報取得手段、
前記判定情報と、前記放送条件とに基づき、前記ＣＭ枠各々で放送される前記ＣＭ素材を決定するＣＭ素材決定手段、
として機能させ、
前記ＣＭ進行データにおいて、１つの前記ＣＭ枠に対応付けられた複数の前記ＣＭ素材の中から前記放送条件を満たす前記ＣＭ素材が同時に複数発生しないように、前記放送条件が定められているプログラム。
【請求項１１】
コンピュータが、
テレビ放送又はラジオ放送のＣＭ枠各々にＣＭ素材を対応付けるとともに、前記ＣＭ素材各々の放送が禁止される放送禁止条件を定めることが可能なＣＭ進行データを取得するＣＭ進行データ取得工程と、
前記放送禁止条件を判定するための判定情報を取得する判定情報取得工程と、
前記判定情報と、前記放送禁止条件とに基づいて、前記ＣＭ枠各々に対応付けられた前記ＣＭ素材が前記放送禁止条件を満たさないか判定し、満たさない場合、当該ＣＭ素材を当該ＣＭ枠で放送される前記ＣＭ素材として決定し、満たす場合、予め定められた差替ＣＭ素材を、当該ＣＭ枠で放送される前記ＣＭ素材として決定するＣＭ素材決定工程と、
を実行するＣＭ管理方法。
【請求項１２】
コンピュータを、
テレビ放送又はラジオ放送のＣＭ枠各々にＣＭ素材を対応付けるとともに、前記ＣＭ素材各々の放送が禁止される放送禁止条件を定めることが可能なＣＭ進行データを取得するＣＭ進行データ取得手段、
前記放送禁止条件を判定するための判定情報を取得する判定情報取得手段、
前記判定情報と、前記放送禁止条件とに基づいて、前記ＣＭ枠各々に対応付けられた前記ＣＭ素材が前記放送禁止条件を満たさないか判定し、満たさない場合、当該ＣＭ素材を当該ＣＭ枠で放送される前記ＣＭ素材として決定し、満たす場合、予め定められた差替ＣＭ素材を、当該ＣＭ枠で放送される前記ＣＭ素材として決定するＣＭ素材決定手段、
として機能させるためのプログラム。
【発明の詳細な説明】
【技術分野】
【０００１】
本発明は、ＣＭ管理装置、ＣＭ管理方法、及び、プログラムに関する。
【背景技術】
【０００２】
特許文献１に、関連する技術が開示されている。特許文献１には、ＣＭ枠及びそれに付属するＣＭ素材によって構成される送出ＣＭデータを変更する自動番組制御装置の送出ＣＭデータ自動再配置システムが開示されている。
【先行技術文献】
【特許文献】
【０００３】
【特許文献１】特開平１１−２０５２５９号
【発明の概要】
【発明が解決しようとする課題】
【０００４】
放送局（テレビ放送局、ラジオ放送局など）や広告代理店は、ＣＭ素材（ＣＭコンテンツ）を放送したいクライアントからの要望に基づき、当該クライアントのための時間取り（ＣＭ素材を放送する日や時間等の確保）を行う。その後、クライアントの要望に基づき、確保されたＣＭ枠に、放送するＣＭ素材が割り付けられる。
【０００５】
放送局は、放送日の数日前までに、上記割り付け内容に基づき、ＣＭの進行スケジュール（タイムスケジュール）を示すＣＭ進行データを作成する。ＣＭ進行データにおいては、例えば、放送日のＣＭ枠が放送順に列挙されるとともに、ＣＭ枠各々に放送されるＣＭ素材が対応付けられている。そして、放送日には、予め作成されたこのようなＣＭ進行データに基づき、ＣＭ素材の放送が行われる。
【０００６】
ところで、近年、ＣＭ効果を高める等の目的で、放送日前日、放送日当日、放送時間の数時間前など、放送時間に近い所定のタイミングの状況（例：天気、気温等）に応じた適切なＣＭ素材を放送したいというニーズがある。
【０００７】
しかしながら、放送日の数日前までに作成されたＣＭ進行データを、上述のような放送時間に近いタイミングで改変するのは好ましくない。このような改変に基づきトラブルが発生する恐れがある。例えば、改変内容に不備があった場合、放送中に不測のトラブルが発生し得る。また、このようなトラブルを回避するため、改変内容に不備がないか複数人で確認する等の作業負担が放送局に発生する。
【０００８】
本発明は、放送時間に近い所定のタイミングの状況に応じた適切なＣＭ素材を放送するための新たな技術を提供することを課題とする。
【課題を解決するための手段】
【０００９】
本発明によれば、
テレビ放送又はラジオ放送のＣＭ枠各々にＣＭ素材を対応付けたＣＭ進行データであって、１つの前記ＣＭ枠に複数の前記ＣＭ素材を対応付けるとともに、対応付けられている複数の前記ＣＭ素材各々が放送される放送条件を定めることが可能な前記ＣＭ進行データを取得するＣＭ進行データ取得手段と、
前記放送条件を満たすか否かを判定するための判定情報を取得する判定情報取得手段と、
前記判定情報と、前記放送条件とに基づき、前記ＣＭ枠各々で放送される前記ＣＭ素材を決定するＣＭ素材決定手段と、
を有し、
前記ＣＭ進行データにおいて、１つの前記ＣＭ枠に対応付けられた複数の前記ＣＭ素材の中から前記放送条件を満たす前記ＣＭ素材が同時に複数発生しないように、前記放送条件が定められているＣＭ管理装置が提供される。
【００１０】
また、本発明によれば、
テレビ放送又はラジオ放送のＣＭ枠各々にＣＭ素材を対応付けるとともに、前記ＣＭ素材各々の放送が禁止される放送禁止条件を定めることが可能なＣＭ進行データを取得するＣＭ進行データ取得手段と、
前記放送禁止条件を判定するための判定情報を取得する判定情報取得手段と、
前記判定情報と、前記放送禁止条件とに基づいて、前記ＣＭ枠各々に対応付けられた前記ＣＭ素材が前記放送禁止条件を満たさないか判定し、満たさない場合、当該ＣＭ素材を当該ＣＭ枠で放送される前記ＣＭ素材として決定し、満たす場合、予め定められた差替ＣＭ素材を、当該ＣＭ枠で放送される前記ＣＭ素材として決定するＣＭ素材決定手段と、
を有するＣＭ管理装置が提供される。
【００１１】
また、本発明によれば、
コンピュータが、
テレビ放送又はラジオ放送のＣＭ枠各々にＣＭ素材を対応付けたＣＭ進行データであって、１つの前記ＣＭ枠に複数の前記ＣＭ素材を対応付けるとともに、対応付けられている複数の前記ＣＭ素材各々が放送される放送条件を定めることが可能な前記ＣＭ進行データを取得するＣＭ進行データ取得工程と、
前記放送条件を満たすか否かを判定するための判定情報を取得する判定情報取得工程と、
前記判定情報と、前記放送条件とに基づき、前記ＣＭ枠各々で放送される前記ＣＭ素材を決定するＣＭ素材決定工程と、
を実行し、
前記ＣＭ進行データにおいて、１つの前記ＣＭ枠に対応付けられた複数の前記ＣＭ素材の中から前記放送条件を満たす前記ＣＭ素材が同時に複数発生しないように、前記放送条件が定められているＣＭ管理方法が提供される。
【００１２】
また、本発明によれば、
コンピュータを、
テレビ放送又はラジオ放送のＣＭ枠各々にＣＭ素材を対応付けたＣＭ進行データであって、１つの前記ＣＭ枠に複数の前記ＣＭ素材を対応付けるとともに、対応付けられている複数の前記ＣＭ素材各々が放送される放送条件を定めることが可能な前記ＣＭ進行データを取得するＣＭ進行データ取得手段、
前記放送条件を満たすか否かを判定するための判定情報を取得する判定情報取得手段、
前記判定情報と、前記放送条件とに基づき、前記ＣＭ枠各々で放送される前記ＣＭ素材を決定するＣＭ素材決定手段、
として機能させ、
前記ＣＭ進行データにおいて、１つの前記ＣＭ枠に対応付けられた複数の前記ＣＭ素材の中から前記放送条件を満たす前記ＣＭ素材が同時に複数発生しないように、前記放送条件が定められているプログラムが提供される。
【００１３】
また、本発明によれば、
コンピュータが、
テレビ放送又はラジオ放送のＣＭ枠各々にＣＭ素材を対応付けるとともに、前記ＣＭ素材各々の放送が禁止される放送禁止条件を定めることが可能なＣＭ進行データを取得するＣＭ進行データ取得工程と、
前記放送禁止条件を判定するための判定情報を取得する判定情報取得工程と、
前記判定情報と、前記放送禁止条件とに基づいて、前記ＣＭ枠各々に対応付けられた前記ＣＭ素材が前記放送禁止条件を満たさないか判定し、満たさない場合、当該ＣＭ素材を当該ＣＭ枠で放送される前記ＣＭ素材として決定し、満たす場合、予め定められた差替ＣＭ素材を、当該ＣＭ枠で放送される前記ＣＭ素材として決定するＣＭ素材決定工程と、
を実行するＣＭ管理方法が提供される。
【００１４】
また、本発明によれば、
コンピュータを、
テレビ放送又はラジオ放送のＣＭ枠各々にＣＭ素材を対応付けるとともに、前記ＣＭ素材各々の放送が禁止される放送禁止条件を定めることが可能なＣＭ進行データを取得するＣＭ進行データ取得手段、
前記放送禁止条件を判定するための判定情報を取得する判定情報取得手段、
前記判定情報と、前記放送禁止条件とに基づいて、前記ＣＭ枠各々に対応付けられた前記ＣＭ素材が前記放送禁止条件を満たさないか判定し、満たさない場合、当該ＣＭ素材を当該ＣＭ枠で放送される前記ＣＭ素材として決定し、満たす場合、予め定められた差替ＣＭ素材を、当該ＣＭ枠で放送される前記ＣＭ素材として決定するＣＭ素材決定手段、
として機能させるためのプログラムが提供される。
【発明の効果】
【００１５】
本発明によれば、放送時間に近い所定のタイミングの状況に応じた適切なＣＭ素材を放送するための新たな技術が実現される。
【図面の簡単な説明】
【００１６】
【図１】本実施形態の装置のハードウエア構成の一例を概念的に示す図である。
【図２】本実施形態のＣＭ管理装置の機能ブロック図の一例である。
【図３】本実施形態のＣＭ進行データの一例を模式的に示す図である。
【図４】本実施形態のＣＭ枠の識別情報を説明するための図である。
【図５】本実施形態の放送条件の一例を模式的に示す図である。
【図６】本実施形態の判定情報の一例を模式的に示す図である。
【図７】本実施形態の素材情報の一例を示す模式的に示す図である。
【図８】本実施形態の割り付け情報の一例を示す模式的に示す図である。
【図９】本実施形態のＣＭ管理装置の処理の流れの一例を示すフローチャートである。
【図１０】本実施形態のＣＭ進行データの一例を模式的に示す図である。
【図１１】本実施形態の放送禁止条件の一例を示す模式的に示す図である。
【図１２】本実施形態のＣＭ進行データの一例を模式的に示す図である。
【図１３】本実施形態の素材情報の一例を示す模式的に示す図である。
【発明を実施するための形態】
【００１７】
まず、本実施形態の装置のハードウエア構成の一例について説明する。本実施形態の装置が備える各部は、任意のコンピュータのＣＰＵ（Central Processing Unit）、メモリ、メモリにロードされるプログラム、そのプログラムを格納するハードディスク等の記憶ユニット（あらかじめ装置を出荷する段階から格納されているプログラムのほか、ＣＤ（Compact Disc）等の記憶媒体やインターネット上のサーバ等からダウンロードされたプログラムをも格納できる）、ネットワーク接続用インタフェイスを中心にハードウエアとソフトウエアの任意の組合せによって実現される。そして、その実現方法、装置にはいろいろな変形例があることは、当業者には理解されるところである。
【００１８】
図１は、本実施形態の装置のハードウエア構成の一例を概念的に示す図である。図示するように、本実施形態の装置は、例えば、バス１０Ａで相互に接続されるＣＰＵ１Ａ、ＲＡＭ（Random Access Memory）２Ａ、ＲＯＭ（Read Only Memory）３Ａ、表示制御部４Ａ、ディスプレイ５Ａ、操作受付部６Ａ、操作部７Ａ、通信部８Ａ、補助記憶装置９Ａ等を有する。なお、図示しないが、その他、外部機器と有線で接続される入出力インタフェイス、マイク、スピーカ等の他の要素を備えてもよい。
【００１９】
ＣＰＵ１Ａは各要素とともに装置のコンピュータ全体を制御する。ＲＯＭ３Ａは、コンピュータを動作させるためのプログラムや各種アプリケーションプログラム、それらのプログラムが動作する際に使用する各種設定データなどを記憶する領域を含む。ＲＡＭ２Ａは、プログラムが動作するための作業領域など一時的にデータを記憶する領域を含む。補助記憶装置９Ａは、例えばＨＤＤ（Hard Disc Drive）であり、大容量のデータを記憶可能である。
【００２０】
ディスプレイ５Ａは、例えば、表示装置（ＬＥＤ（Light Emitting Diode）表示器、液晶ディスプレイ、有機ＥＬ（Electro Luminescence）ディスプレイ等）である。ディスプレイ５Ａは、タッチパッドと一体になったタッチパネルディスプレイであってもよい。表示制御部４Ａは、ＶＲＡＭ（Video RAM）に記憶されたデータを読み出し、読み出したデータに対して所定の処理を施した後、ディスプレイ５Ａに送って各種画面表示を行う。操作受付部６Ａは、操作部７Ａを介して各種操作を受付ける。操作部７Ａは、操作キー、操作ボタン、スイッチ、ジョグダイヤル、タッチパネルディスプレイ、キーボードなどを含む。通信部８Ａは、有線及び／または無線で、インターネット、ＬＡＮ（Local Area Network）等のネットワークに接続し、他の電子機器と通信する。
【００２１】
以下、本実施の形態について説明する。なお、以下の実施形態の説明において利用する機能ブロック図は、ハードウエア単位の構成ではなく、機能単位のブロックを示している。これらの図においては、各装置は１つの機器により実現されるよう記載されているが、その実現手段はこれに限定されない。すなわち、物理的に分かれた構成であっても、論理的に分かれた構成であっても構わない。なお、同一の構成要素には同一の符号を付し、適宜説明を省略する。
【００２２】
＜第１の実施形態＞
まず、本実施形態の概要について説明する。本実施形態では、ＣＭ進行データにおいて、複数のＣＭ枠各々に、複数のＣＭ素材を対応付けることができる。また、本実施形態では、ＣＭ進行データにおいて、複数のＣＭ素材各々が放送される放送条件（例：晴れの場合−ＣＭ素材Ａ、雨の場合−ＣＭ素材Ｂ等）を定めることができる。そして、本実施形態のＣＭ管理装置は、放送時間に近い所定のタイミングで、上記放送条件を判定するための情報（判定情報）を取得する。そして、当該判定情報と放送条件とに基づいて、各ＣＭ枠で放送されるＣＭ素材を決定する。
【００２３】
このような本実施形態によれば、放送時間に近い所定のタイミングで、その時の状況に応じた適切なＣＭ素材を放送されるＣＭ素材として決定し、決定したＣＭ素材を放送することが可能となる。
【００２４】
また、本実施形態によれば、予め作成したＣＭ進行データを、放送時間に近いタイミングで改変することなく、上記放送を実現できる。このため、ＣＭ進行データの改変に伴う放送時の不測のトラブルの発生や、改変後のＣＭ進行データを確認するという放送局の作業負担の増大を回避できる。
【００２５】
次に、本実施形態のＣＭ管理装置１０の構成を詳細に説明する。図２に、本実施形態のＣＭ管理装置１０の機能ブロック図の一例を示す。図示するように、ＣＭ管理装置１０は、ＣＭ進行データ取得部１１と、判定情報取得部１２と、ＣＭ素材決定部１３とを有する。
【００２６】
ＣＭ進行データ取得部１１は、テレビ放送又はラジオ放送のＣＭ枠各々にＣＭ素材を対応付けたＣＭ進行データを取得する。なお、当該ＣＭ進行データでは、１つのＣＭ枠に複数のＣＭ素材を対応付けることが可能である。そして、当該ＣＭ進行データでは、対応付けられている複数のＣＭ素材各々が放送される放送条件を定めることが可能である。ＣＭ進行データは、例えば１日単位で作成されるが、これに限定されない。
【００２７】
なお、「ＣＭ進行データにおいて、１つのＣＭ枠に複数のＣＭ素材を対応付けることが可能」とは、ＣＭ進行データの構成上、１つのＣＭ枠に複数のＣＭ素材を対応付けることが可能であるが、必ずしも、ＣＭ枠に複数のＣＭ素材を対応付けなくてもよいことを意味する。ある日の進行データにおいて、すべてのＣＭ枠に１つのＣＭ素材が対応付けられていてもよいし、１つのＣＭ素材が対応付けられたＣＭ枠と複数のＣＭ素材が対応付けられたＣＭ枠とが混在していてもよいし、又は、すべてのＣＭ枠に複数のＣＭ素材が対応付けられていてもよい。
【００２８】
同様に、「ＣＭ進行データにおいて、放送条件を定めることが可能」とは、ＣＭ進行データの構成上、各ＣＭ枠に対応する放送条件を定めることが可能であるが、必ずしも定めなくてもよいことを意味する。本実施形態の場合、１つのＣＭ枠に複数のＣＭ素材が対応付けられる場合、そのＣＭ枠に対応する放送条件が定められる。一方、１つのＣＭ枠に１つのＣＭ素材が対応付けられる場合、そのＣＭ枠に対応する放送条件は定められない。
【００２９】
図３に、ＣＭ進行データの一例を模式的に示す。図は、ある日のＣＭ進行データであり、１２時頃の内容を抽出して詳細に示している。図示するＣＭ進行データでは、ＣＭ枠、放送条件ＩＤ（identification）、及び、素材コードの欄があり、これらの値が互いに対応付けられている。
【００３０】
ＣＭ枠の欄には、その日の複数のＣＭ枠各々を識別するための識別情報が記載される。図示する例では、複数のＣＭ枠は放送順（進行順）に並んでいる。図示する例の場合、ＣＭ枠の識別情報により、各ＣＭ枠の放送タイミング（放送時間）が特定されている。以下、図示するＣＭ枠の識別情報の構成を説明する。なお、ＣＭ枠の識別情報の構成は、以下で説明するものに限定されない。
【００３１】
図示するＣＭ枠の識別情報は、前半部分（例：１２００Ｔ）と、後半部分（例：１２：１５：００）とに分かれる。前半部分に含まれる数字は、１日に放送される複数の放送コンテンツ（番組）各々を識別する情報であり、具体的には放送コンテンツの放送開始時間を示す。図示する「１２００」は、放送開始時間が１２時００分である放送コンテンツを示す。その後についた「Ｔ」は、その本編の間に挿入されるＣＭ枠を示す。一方、「Ｓ」は、その本編と次の本編の間に挿入されるＣＭ枠を示す。図示する「１２００Ｔ」は、放送開始時間が１２時００分である放送コンテンツの本編の間に挿入されるＣＭ枠を示す。図示する「１２００Ｓ」は、放送開始時間が１２時００分である放送コンテンツと、その次に放送される放送コンテンツとの間に挿入されるＣＭ枠を示す。
【００３２】
図４を用いてＣＭ枠の識別情報の前半部分の説明を補足する。図示するタイムチャートは、ある日の１２時付近の放送進行データを示す。識別情報「１２００」の放送コンテンツの本編１及び本編２の間にはＣＭ枠（ＣＭ１）が挿入されている。このように、識別情報「１２００」の放送コンテンツの本編の間に挿入されるＣＭ枠の識別情報は、図示するように「１２００Ｔ」となる。また、識別情報「１２００」の放送コンテンツの本編２と、識別情報「１２３０」の放送コンテンツの本編１との間にもＣＭ枠（ＣＭ２）が挿入されている。このように、識別情報「１２００」の放送コンテンツの本編と、その次に放送される放送コンテンツとの間に挿入されるＣＭ枠の識別情報は、図示するように「１２００Ｓ」となる。
【００３３】
なお、図示する１２００Ｔ（ＣＭ１）、１２００Ｓ（ＣＭ２）、及び、１２３０Ｔ（ＣＭ１）の枠は、各々、１つのＣＭ枠分であってもよいし、複数のＣＭ枠分を含んでもよい。
【００３４】
図３に戻り、ＣＭ枠の識別情報の後半部分（例：１２：１５：００）は、各ＣＭ枠の放送開始時間を示す。「１２：１５：００」は、１２時１５分００秒に放送が開始されることを意味する。
【００３５】
図３のＣＭ進行データのその他の欄の説明に戻る。素材コードの欄には、各ＣＭ枠に放送されるＣＭ素材、又は、放送される候補であるＣＭ素材の識別情報が記載される。１つのＣＭ枠に１つのＣＭ素材が対応付けられている場合、そのＣＭ素材はそのＣＭ枠に放送されるＣＭ素材として決定されたものとなる。一方、１つのＣＭ枠に複数のＣＭ素材が対応付けられている場合、それらのＣＭ素材はそのＣＭ枠に放送されるＣＭ素材の候補となる。
【００３６】
１つのＣＭ枠に対応付けられた複数のＣＭ素材各々には、各々を放送する条件が定められる。図の例の場合、各ＣＭ素材（素材コード）に判定値（図示するケースＡ、Ｂ．．．）が１つ対応付けられている。これは、「ケースＡ」に該当する場合、素材コード「１２３４−５６７８９０」のＣＭ素材が放送され、「ケースＢ」に該当する場合、素材コード「１２３４−５６７８９１」のＣＭ素材が放送され、「ケースＣ」に該当する場合、素材コード「１２３４−５６７８９２」のＣＭ素材が放送されることを意味する。なお、１つのＣＭ素材に複数の判定値を定めることもできる。
【００３７】
放送条件ＩＤの欄には、複数の候補の中から放送されるＣＭ素材を決定するために用いられる放送条件の識別情報が記載される。図３の例の場合、いずれの判定値に該当するかを判断するルールの識別情報が、放送条件ＩＤに記載される。
【００３８】
図５に、本実施形態の放送条件の一例を示す。例えば、以下で説明するＣＭ素材決定部１３が、図示するような放送条件を予め保持している。なお、オペレータの入力に応じて、放送条件の変更、削除、追加等が可能である。図示する放送条件では、放送条件ＩＤ、名称、及び、判定値（ケースＡ乃至Ｄ等）の欄があり、これらの値が互いに対応付けられている。
【００３９】
放送条件ＩＤの欄には、複数の放送条件各々を識別するための識別情報が記載される。名称の欄には、複数の放送条件各々の名称が記載される。この名称を用いることで、オペレータ等の人間が、複数の放送条件各々を容易に認識できるようになる。なお、名称の欄はなくてもよい。判定値（ケースＡ乃至Ｄ等）の欄には、複数のケース各々に対応する値が記載される。
【００４０】
放送条件ＩＤ「ＸＸ」の放送条件によれば、天気に基づいて放送されるＣＭ素材が決定される。晴れの場合はケースＡに対応するＣＭ素材が放送され、雨の場合はケースＢに対応するＣＭ素材が放送され、その他の場合はケースＣに対応するＣＭ素材が放送される。
【００４１】
放送条件ＩＤ「ＹＹ」の放送条件によれば、Ａチームの（前日又は当日の）勝敗に基づいて放送されるＣＭ素材が決定される。勝ちの場合はケースＡに対応するＣＭ素材が放送され、負けの場合はケースＢに対応するＣＭ素材が放送され、引き分けの場合はケースＣに対応するＣＭ素材が放送され、試合なしの場合はケースＤに対応するＣＭ素材が放送される。
【００４２】
なお、ここで例示した放送条件はあくまで一例であり、これに限定されない。例えば、気温、湿度、雲量等の値に基づいてＣＭ素材を決定する放送条件が含まれてもよい。
【００４３】
図２に戻り、判定情報取得部１２は、放送条件を満たすか否かを判定するための判定情報を取得する。
【００４４】
例えば、図６に示すように、放送条件各々に１つの判定値（いずれか１つのケースを示す値）を対応付けた判定情報が、判定情報記憶部（不図示）に記憶されていてもよい。当該判定情報の判定値は、任意のタイミングで、判定値決定部（不図示）により更新される。そして、判定情報取得部１２は、判定情報記憶部に記憶されている判定情報（判定値）を取得してもよい。
【００４５】
ここで、判定値決定部による判定情報の更新の一例を説明する。判定値決定部は、所定のタイミングで、放送条件各々の最新の判定値を判定するため、所定の最新情報を取得してもよい。例えば、判定値決定部は、天気に関する最新情報として、晴れ、雨、雪等を示す情報を取得してもよい。その他、判定値決定部は、所定のチームの試合結果に関する最新情報として、勝ち、負け、引き分け、試合なし等を示す情報を取得してもよい。
【００４６】
判定値決定部は、例えば、インターネット等のネットワークを介して、それらの情報を提供するサーバ（例：天気情報を提供するサーバ、スポーツの試合結果を提供するサーバ等）から取得してもよい。又は、オペレータが判定値決定部にそれらの情報を入力してもよい。取得するタイミングは特段制限されず、例えば、毎日１回所定の時間に取得してもよいし、毎日複数回所定の時間に取得してもよいし、又は、オペレータからの取得指示に応じて取得してもよい。
【００４７】
そして、判定値決定部は、取得した最新情報と、図５に示す放送条件とに基づき、各放送条件の最新の判定値を決定し、判定情報記憶部に記憶されている判定情報を決定した値に更新してもよい。
【００４８】
その他の例として、オペレータが、所定のタイミングで、複数の放送条件各々に対応付けて最新の判定値（いずれか１つのケースを示す値）を入力してもよい。そして、判定値決定部は、判定情報記憶部に記憶されている判定情報を入力された値に更新してもよい。
【００４９】
なお、判定情報記憶部及び判定値決定部は、ＣＭ管理装置１０に備えられてもよいし、又は、ＣＭ管理装置１０と通信可能に構成された他の装置に備えられてもよい。
【００５０】
図２に戻り、ＣＭ素材決定部１３は、判定情報取得部１２が取得した判定情報と、ＣＭ進行データで各ＣＭ枠に対応付けられた放送条件とに基づき、ＣＭ枠各々で放送されるＣＭ素材を決定する。ＣＭ素材決定部１３は、複数のＣＭ素材の中から、放送条件を満たすＣＭ素材を、ＣＭ枠に放送するＣＭ素材として決定する。
【００５１】
ここで、図３の例を用いて、ＣＭ素材決定部１３による決定処理を説明する。
【００５２】
ＣＭ枠「１２００Ｔ−１２：１５：００」には、３つのＣＭ素材、及び、放送条件ＩＤ「ＸＸ」が対応付けられている。例えば、判定情報取得部１２が、図６に示す判定情報から、放送条件ＩＤ「ＸＸ」の判定値「Ａ」を取得したとする。この場合、ＣＭ素材決定部１３は、ＣＭ枠「１２００Ｔ−１２：１５：００」に放送されるＣＭ素材として、判定値「Ａ（ケースＡ）」に対応付けられた素材コード「１２３４−５６７８９０」のＣＭ素材を決定する。
【００５３】
ＣＭ枠「１２００Ｔ−１２：１５：３０」には、素材コード「１２３４−５６７８９９」の１つのＣＭ素材が対応付けられている。このため、ＣＭ素材決定部１３は、このＣＭ素材を、ＣＭ枠「１２００Ｔ−１２：１５：３０」に放送されるＣＭ素材として決定する。
【００５４】
ＣＭ枠「１２００Ｓ−１２：２９：００」には、４つのＣＭ素材、及び、放送条件ＩＤ「ＹＹ」が対応付けられている。例えば、判定情報取得部１２が、図６に示す判定情報から、放送条件ＩＤ「ＹＹ」の判定値「Ｄ」を取得したとする。この場合、ＣＭ素材決定部１３は、ＣＭ枠「１２００Ｓ−１２：２９：００」に放送されるＣＭ素材として、判定値Ｄ（ケースＤ）を対応付けられた素材コード「９９９９−５６７８９３」のＣＭ素材を決定する。
【００５５】
ＣＭ枠「１２００Ｓ−１２：２９：３０」には、素材コード「９９９９−５６７８９９」の１つのＣＭ素材が対応付けられている。このため、ＣＭ素材決定部１３は、このＣＭ素材を、ＣＭ枠「１２００Ｓ−１２：２９：３０」に放送されるＣＭ素材として決定する。
【００５６】
ＣＭ素材決定部１３が各ＣＭ枠に放送されるＣＭ素材を決定するタイミングは、各ＣＭ枠の放送タイミングにできるだけ近いのが好ましい。このようにすれば、ＣＭ素材決定部１３は、より放送時間に近いタイミングの状況（判定情報の状態）に応じた適切なＣＭ素材を、各ＣＭ枠に放送されるＣＭ素材として決定できる。
【００５７】
次に、本実施形態のＣＭ管理装置１０を用いたＣＭ素材の放送の流れの一例を、図９のフローチャートを用いて説明する。
【００５８】
まず、放送局及び／又は広告代理店は、ＣＭ素材を放送したいクライアントからの要望に基づき、当該クライアントのための時間取り（ＣＭ素材を放送する日や時間等の確保）を行う。その後、クライアントの要望に基づき、確保されたＣＭ枠に、放送するＣＭ素材が割り付けられる。
【００５９】
例えば、ＣＭ素材の割り付け前に、図７に示すような素材情報が、放送局のシステムに登録される。図７に示す素材情報は、素材略号と、放送条件ＩＤと、素材コードとが対応付けられている。図の素材略号「ＡＡＡＡ」の例のように、素材略号には、複数の素材コードを対応付けることができる。この場合、複数のＣＭ素材各々が放送される放送条件の詳細（放送条件ＩＤ、複数の素材コード各々の判定値等）も定められる。また、図の素材略号「ＡＡＢＢ」の例のように、素材略号には、１つの素材コードを対応付けることもできる。
【００６０】
図７に示すように、予め、クライアントのＣＭ素材の放送パターンを考慮し、各放送パターンに対応する素材情報を作成して、放送局のシステムに登録しておくことができる。なお、素材情報の登録においては、既にＣＭ素材決定部１３に登録されている放送条件を利用することもできる。その他、新たな放送条件をＣＭ素材決定部１３に登録し、当該放送条件を用いて素材情報を登録することもできる。
【００６１】
クライアントは、放送日前の所定のタイミングで、確保された各ＣＭ枠各々に割り付ける素材略号を、放送局に通知する。結果、放送局のシステムに、図８に示すような割り付け情報が登録される。
【００６２】
放送局のシステム及び／又はオペレータは、任意のタイミングで、図７に示す素材情報及び図８に示す割り付け情報に基づき、図３に示すようなＣＭ進行データを作成する。そして、作成されたＣＭ進行データが、所定の記憶装置に記憶される。
【００６３】
なお、図８に示す割り付け情報のＣＭ枠の識別情報は、図３に示す識別情報の前半部分のみとなっている。これは、対応付けられている素材略号を、当該前半部分を含むＣＭ枠の中のいずれかに対応付けることを意味する。例えば、ＣＭ枠として「１２００Ｔ−１２：１５：００」及び「１２００Ｔ−１２：１５：３０」がある場合、図８に示すＣＭ枠「１２００Ｔ」が対応付けられている素材略号「ＡＡＡＡ」は、これらの何れかに対応付けられることとなる。
【００６４】
ＣＭ進行データ取得部１１は、放送前の所定のタイミングで、上記記憶装置に記憶されたＣＭ進行データを取得する（図９のＳ１０）。その後、判定情報取得部１２は、放送条件を判定するための最新の判定情報を取得する（図９のＳ１１）。そして、ＣＭ素材決定部１３は、最新の判定情報と、ＣＭ進行データで各ＣＭ枠に対応付けられた放送条件とに基づき、各ＣＭ枠に放送するＣＭ素材を決定する（図９のＳ１２）。
【００６５】
例えば、ＣＭ進行データ取得部１１は、放送日より数日前（例：前日、２日前）、又は、放送日当日の放送開始時刻よりも所定時間前に、放送日の１日分のＣＭ進行データを取得してもよい。そして、ＣＭ素材決定部１３は、そのタイミングで判定情報取得部１２が取得した最新の判定情報に基づき、その放送日に含まれるすべてのＣＭ枠各々に放送されるＣＭ素材を決定してもよい。
【００６６】
その他、ＣＭ進行データ取得部１１は、放送日の当日に、所定時間分のＣＭ進行データを、放送開始よりも所定時間前に取得してもよい。例えば、放送日のＬ時から（Ｌ＋Ｍ）時の間のＣＭ進行データを、放送開始（Ｌ時）よりもＮ時間前の（Ｌ−Ｎ）時に取得してもよい。そして、ＣＭ素材決定部１３は、そのタイミングで判定情報取得部１２が取得した最新の判定情報に基づき、Ｌ時から（Ｌ＋Ｍ）時の間に含まれるＣＭ枠各々に放送されるＣＭ素材を決定してもよい。
【００６７】
以上説明した本実施形態によれば、放送時間に近い所定のタイミングの状況（例：天気、所定のチームの試合結果等）に応じた適切なＣＭ素材を放送することが可能となる。結果、高いＣＭ効果が期待される。
【００６８】
また、本実施形態によれば、予め作成したＣＭ進行データを、放送時間に近いタイミングで改変する必要がない。このため、改変に伴う放送時の不測のトラブルの発生や、放送局の作業負担の増大を回避できる。
【００６９】
＜第２の実施形態＞
まず、本実施形態の概要について説明する。ＣＭ素材各々には、放送されるのが好ましくないタイミングが存在し得る。例えば、大人向けの商品のＣＭ素材を子供の視聴率が高い時間帯に放送するのは、子供への影響やＣＭ効果等を考慮すると好ましくない場合がある。
【００７０】
通常、ＣＭ素材毎の放送禁止条件（放送が禁止される条件）を考慮して、ＣＭ進行データが作成される。しかし、オペレータのミス等に起因して、放送禁止条件を満たすタイミング、すなわち放送されるが好ましくないタイミングで所定のＣＭ素材が放送されるようなＣＭ進行データが作成される場合がある。
【００７１】
また、緊急特番（例：緊急ニュース）の挿入等に起因して、放送日当日にＣＭ進行データが改変される場合がある。このような場合、上記放送禁止条件を考慮する余裕がない、また、考慮し忘れる等により、放送禁止条件を満たす時間帯に所定のＣＭ素材が放送されるようなＣＭ進行データ（改変版）が作成される場合がある。結果、このようなＣＭ進行データに基づき、放送されるのが好ましくないタイミングでＣＭ素材が放送されてしまう。
【００７２】
本実施形態によれば、このような、放送されるのが好ましくないタイミングでＣＭ素材が放送されてしまう不都合を軽減できる。
【００７３】
本実施形態では、ＣＭ進行データにおいて、ＣＭ素材各々の放送が禁止される条件（放送禁止条件）を定めることができる。ＣＭ管理装置１０は、放送時間に近い所定のタイミングで、放送禁止条件を判定するための最新の情報（判定情報）を取得する。そして、ＣＭ管理装置１０は、取得した判定情報と放送禁止条件とに基づいて、各ＣＭ枠で放送されるＣＭ素材を決定する。例えば、放送禁止条件を満たさない場合は、そのＣＭ素材をそのＣＭ枠で放送されるＣＭ素材として決定する。一方、放送禁止条件を満たす場合は、予め定められている差替ＣＭ素材を、そのＣＭ枠で放送されるＣＭ素材として決定する。以下、詳細に説明する。
【００７４】
本実施形態のＣＭ管理装置１０の機能ブロック図の一例は、第１の実施形態同様、図２で示される。
【００７５】
ＣＭ進行データ取得部１１は、テレビ放送又はラジオ放送のＣＭ枠各々にＣＭ素材を対応付けたＣＭ進行データを取得する。本実施形態のＣＭ進行データでは、ＣＭ素材各々の放送が禁止される放送禁止条件を定めることが可能である。
【００７６】
なお、「ＣＭ進行データにおいて、ＣＭ素材各々の放送禁止条件を定めることが可能」とは、ＣＭ進行データの構成上、ＣＭ素材各々に放送禁止条件を定めることが可能であるが、必ずしも、ＣＭ素材に放送禁止条件を定めなくてもよいことを意味する。ある日の進行データにおいて、すべてのＣＭ素材に放送禁止条件が定められていなくてもよいし、放送禁止条件が定められたＣＭ素材と定められていないＣＭ素材とが混在していてもよいし、又は、すべてのＣＭ素材に放送禁止条件が定められていてもよい。
【００７７】
図１０に、ＣＭ進行データ取得部１１が取得するＣＭ進行データの一例を模式的に示す。図は、ある日のＣＭ進行データであり、１２時頃の内容を抽出して詳細に示している。図示するＣＭ進行データでは、ＣＭ枠及び素材コードの欄があり、これらの値が互いに対応付けられている。
【００７８】
ＣＭ枠の欄には、複数のＣＭ枠各々を識別するための識別情報が記載される。当該欄は、第１の実施形態で説明したＣＭ進行データ（図３参照）のＣＭ枠欄と同様である。
【００７９】
素材コードの欄には、各ＣＭ枠に対応付けられたＣＭ素材の識別情報が記載される。第１の実施形態で説明したＣＭ進行データ（図３参照）では、複数の素材コードの欄を有し、各ＣＭ枠に複数の素材コードを対応付けることができた。これに対し、本実施形態では、各ＣＭ枠に１つの素材コードが対応付けられる。
【００８０】
図示するように、各素材コードには、放送禁止条件の識別情報（放送禁止条件ＩＤ）を付与することができる。なお、１つの素材コードに複数の放送禁止条件を付与することができてもよい。
【００８１】
図１１に、放送禁止条件の一例を模式的に示す。図示する例では、放送禁止条件ＩＤと、放送禁止条件と、当該放送禁止条件が適用される適用対象とが対応付けられている。
【００８２】
図に示す放送禁止条件ＩＤ「禁００１」の放送禁止条件は、６時〜１８時の間に放送できない旨を定めている。そして、当該放送禁止条件は、ビール業界のＣＭ素材に適用されることが定められている。
【００８３】
図に示す放送禁止条件ＩＤ「禁００２」の放送禁止条件は、９時〜１２時の間に放送できない旨を定めている。当該放送禁止条件は、消費者金融のＣＭ素材に適用されることが定められている。
【００８４】
図に示す放送禁止条件ＩＤ「禁００３」の放送禁止条件は、雨の日には放送できない旨を定めている。当該放送禁止条件は、Ｂ社のビールＣＭに適用されることが定められている。
【００８５】
図に示す放送禁止条件ＩＤ「禁００４」の放送禁止条件は、Ａチームの（前日又は当日の）勝敗が負けの場合には放送できない旨を定めている。当該放送禁止条件は、Ａ社のＣＭ（野球バージョン）に適用されることが定められている。
【００８６】
なお、上述した放送禁止条件はあくまで一例であり、ここでの例示に限定されない。このような放送禁止条件は、オペレータが予め登録し、ＣＭ素材決定部１３に保持させておくことができる。
【００８７】
判定情報取得部１２は、所定のタイミングで、放送禁止条件を満たすか否かを判定するための判定情報を取得する。
【００８８】
例えば、放送禁止条件各々に、禁止条件を「満たす」または「満たさない」のいずれかに対応する値を対応付けた判定情報を記憶する判定情報記憶部（不図示）を有してもよい。そして、判定情報取得部１２は、当該判定情報を判定情報記憶部から取得してもよい。当該値は、判定値決定部により更新される。判定値決定部は、任意のタイミングで、各禁止条件を判定するための情報を取得する。
【００８９】
放送禁止条件ＩＤ「禁００１」及び「禁００２」の放送禁止条件の場合、判定値決定部は、現在時刻を取得する。そして、判定値決定部は、現在時刻が禁止条件を満たすか否か判定し、判定情報記憶部が記憶する判定情報を判定結果で更新する。
【００９０】
また、放送禁止条件ＩＤ「禁００３」の放送禁止条件の場合、判定値決定部は、所定のサーバから最新の天気情報を取得する。なお、オペレータが最新の天気情報を判定値決定部に入力してもよい。そして、判定値決定部は、取得した天気情報の内容が禁止条件を満たすか否か判定し、判定情報記憶部が記憶する判定情報を判定結果で更新する。
【００９１】
また、放送禁止条件ＩＤ「禁００４」の放送禁止条件の場合、判定値決定部は、所定のサーバから最新の試合結果情報を取得する。なお、オペレータが最新の試合結果情報を判定値決定部に入力してもよい。そして、判定値決定部は、取得した試合結果情報の内容が禁止条件を満たすか否か判定し、判定情報記憶部が記憶する判定情報を判定結果で更新する。
【００９２】
その他の例として、オペレータが、所定のタイミングで、複数の放送禁止条件各々に対応付けて最新の値（「満たす」または「満たさない」のいずれか）を入力してもよい。そして、判定値決定部は、判定情報記憶部に記憶されている判定情報を入力された値に更新してもよい。
【００９３】
なお、判定情報記憶部及び判定値決定部は、ＣＭ管理装置１０に備えられてもよいし、又は、ＣＭ管理装置１０と通信可能に構成された他の装置に備えられてもよい。
【００９４】
ＣＭ素材決定部１３は、判定情報取得部１２が取得した判定情報と、ＣＭ進行データで定められた放送禁止条件とに基づいて、ＣＭ枠各々に対応付けられたＣＭ素材が放送禁止条件を満たさないか判定する。そして、満たさない場合、ＣＭ素材決定部１３は、当該ＣＭ素材を当該ＣＭ枠で放送されるＣＭ素材として決定する。一方、満たす場合、ＣＭ素材決定部１３は、予め定められた差替ＣＭ素材を、当該ＣＭ枠で放送されるＣＭ素材として決定する。
【００９５】
図１０の例の場合、素材コード「１２３４−５６７８９０」に、「禁００１」の放送禁止条件が付与されている。図１１の放送禁止条件を参照すると、「禁００１」の放送禁止条件では、６時〜１８時の間に放送できない旨を定めている。そして、図１０のＣＭ進行データを参照すると、素材コード「１２３４−５６７８９０」のＣＭ素材が放送されることとなっている放送時間は、「１２：１５：００」である。当該放送時間は、６時〜１８時の間に含まれる。すなわち、「１２００Ｔ−１２：１５：００」のＣＭ枠に対応付けられた素材コード「１２３４−５６７８９０」のＣＭ素材は、放送禁止条件を満たす。
【００９６】
このため、ＣＭ素材決定部１３は、「１２００Ｔ−１２：１５：００」のＣＭ枠に放送されるＣＭ素材として、差替ＣＭ素材を決定する。
【００９７】
また、図１０の例の場合、素材コード「１２３４−５６７８９９」には、放送禁止条件が付与されていない。そこで、ＣＭ素材決定部１３は、「１２００Ｔ−１２：１５：３０」のＣＭ枠に放送されるＣＭ素材として、素材コード「１２３４−５６７８９９」のＣＭ素材を決定する。
【００９８】
また、図１０の例の場合、素材コード「９９９９−５６７８９３」に、「禁００２」の放送禁止条件が付与されている。図１１の放送禁止条件を参照すると、「禁００２」の放送禁止条件では、９時〜１２時の間に放送できない旨を定めている。そして、図１０のＣＭ進行データを参照すると、素材コード「９９９９−５６７８９３」のＣＭ素材が放送されることとなっている放送時間は、「１２：２９：００」である。当該放送時間は、９時〜１２時の間に含まれない。すなわち、「１２００Ｓ−１２：２９：００」のＣＭ枠に対応付けられた素材コード「９９９９−５６７８９３」のＣＭ素材は、放送禁止条件を満たさない。
【００９９】
このため、ＣＭ素材決定部１３は、「１２００Ｓ−１２：２９：００」のＣＭ枠に放送されるＣＭ素材として、素材コード「９９９９−５６７８９３」のＣＭ素材を決定する。
【０１００】
また、図１０の例の場合、素材コード「９９９９−５６７８９９」には、放送禁止条件が付与されていない。そこで、ＣＭ素材決定部１３は、「１２００Ｓ−１２：２９：３０」のＣＭ枠に放送されるＣＭ素材として、素材コード「９９９９−５６７８９９」のＣＭ素材を決定する。
【０１０１】
ＣＭ素材決定部１３が各ＣＭ枠に放送されるＣＭ素材を決定するタイミングは、各ＣＭ枠の放送時間に近いのが好ましい。このようにすれば、放送時間の前にＣＭ進行データが改変されても、その後に、ＣＭ素材決定部１３による放送禁止条件の判定及び放送されるＣＭ素材の決定を行わせることができる。結果、放送禁止条件に反し、好ましくないタイミングで所定のＣＭ素材が放送される不都合をより効果的に軽減できる。
【０１０２】
次に、本実施形態のＣＭ管理装置１０を用いたＣＭ素材の放送の流れの一例を、図９のフローチャートを用いて説明する。
【０１０３】
まず、放送局及び／又は広告代理店は、ＣＭ素材を放送したいクライアントからの要望に基づき、当該クライアントのための時間取り（ＣＭ素材を放送する日や時間等の確保）を行う。
【０１０４】
その後、クライアントの要望に基づき、確保されたＣＭ枠に、放送するＣＭ素材が割り付けられる。この時、１つのＣＭ枠に１つのＣＭ素材が割り付けられる。そして、割り付けたＣＭ素材の一部または全部に、所定の放送禁止条件を設定することができる。これらの内容が、放送局のシステムに、割り付け情報として記憶される。
【０１０５】
放送局のシステム又はオペレータは、任意のタイミングで、上記割り付け情報に基づき、図１０に示すようなＣＭ進行データを作成する。そして、作成されたＣＭ進行データが、所定の記憶装置に記憶される。
【０１０６】
ＣＭ進行データ取得部１１は、放送前の所定のタイミングで、上記ＣＭ進行データを取得する（図９のＳ１０）。その後、判定情報取得部１２は、放送禁止条件を判定するための最新の判定情報を取得する（図９のＳ１１）。そして、ＣＭ素材決定部１３は、最新の判定情報と、ＣＭ進行データで各ＣＭ素材に対応付けられた放送禁止条件とに基づき、各ＣＭ枠に放送するＣＭ素材を決定する（図９のＳ１２）。
【０１０７】
例えば、ＣＭ進行データ取得部１１は、放送日より数日前（例：前日、２日前）、又は、放送日当日の放送開始時刻よりも所定時間前に、放送日のＣＭ進行データを取得してもよい。そして、ＣＭ素材決定部１３は、そのタイミングで判定情報取得部１２が取得した最新の判定情報に基づき、放送日に含まれるすべてのＣＭ枠各々に放送されるＣＭ素材を決定してもよい。
【０１０８】
その他、ＣＭ進行データ取得部１１は、放送日の当日に、所定時間分のＣＭ進行データを、放送開始よりも所定時間前に取得してもよい。例えば、放送日のＬ時から（Ｌ＋Ｍ）時の間のＣＭ進行データを、放送開始（Ｌ時）よりもＮ時間前の（Ｌ−Ｎ）時に取得してもよい。そして、ＣＭ素材決定部１３は、そのタイミングで判定情報取得部１２が取得した最新の判定情報に基づき、Ｌ時から（Ｌ＋Ｍ）時の間に含まれるＣＭ枠各々に放送されるＣＭ素材を決定してもよい。
【０１０９】
以上説明した本実施形態によれば、放送時間に近い所定のタイミングの状況（例：各ＣＭ素材の放送予定時間、天気、所定のチームの試合結果等）に応じた適切なＣＭ素材を放送することが可能となる。例えば、あるＣＭ枠に対応付けられているあるＣＭ素材が放送禁止条件を満たさない場合、そのＣＭ素材をそのＣＭ枠に放送するＣＭ素材として決定できる。一方、あるＣＭ枠に対応付けられているあるＣＭ素材が放送禁止条件を満たす場合、差替ＣＭ素材をそのＣＭ枠に放送するＣＭ素材として決定できる。すなわち、そのＣＭ素材は放送されない。
【０１１０】
このような本実施形態によれば、ＣＭ進行データの作成時または改変時のミス等に起因し、放送するのが好ましくない時間帯に所定のＣＭ素材を対応付けたＣＭ進行データが作成されたとしても、所定のタイミングで行われるＣＭ素材決定部１３によるＣＭ素材を決定する処理により、そのＣＭ素材がそのＣＭ枠に放送されるＣＭ素材として決定されることはない。代わりに、代替ＣＭ素材がそのＣＭ枠に放送されるＣＭ素材として決定される。結果、所定のＣＭ素材が好ましくないタイミングで放送される不都合を回避できる。
【０１１１】
＜第３の実施形態＞
本実施形態のＣＭ進行データでは、１つのＣＭ枠に複数のＣＭ素材を対応付けるとともに、対応付けられている複数のＣＭ素材各々が放送される放送条件を定めることが可能である。また、本実施形態のＣＭ進行データでは、ＣＭ素材各々の放送が禁止される放送禁止条件を定めることが可能である。すなわち、本実施形態は、第１及び第２の実施形態を組み合わせることができる。
【０１１２】
図１２に、本実施形態のＣＭ進行データの一例を模式的に示す。図示するＣＭ進行データは、第１の実施形態で説明した図３のＣＭ進行データと比べると、各素材コードに、放送禁止条件の識別情報（放送禁止条件ＩＤ）を付与することができる点で異なる。放送禁止条件の識別情報（放送禁止条件ＩＤ）は、第２の実施形態で説明した図１０に記載のものと同様である。
【０１１３】
次に、本実施形態のＣＭ管理装置１０を用いたＣＭ素材の放送の流れの一例を、図９のフローチャートを用いて説明する。
【０１１４】
まず、放送局及び／又は広告代理店は、ＣＭ素材を放送したいクライアントからの要望に基づき、当該クライアントのための時間取り（ＣＭ素材を放送する日や時間等の確保）を行う。
【０１１５】
その後、クライアントの要望に基づき、確保されたＣＭ枠に、放送するＣＭ素材が割り付けられる。
【０１１６】
例えば、ＣＭ素材の割り付け前に、図１３に示すような素材情報が、放送局のシステムに登録される。
【０１１７】
図１３に示す素材情報は、素材略号と、放送条件ＩＤと、素材コードとが対応付けられている。また、各素材コードに対応付けて、放送禁止条件ＩＤを付与できるようになっている。
【０１１８】
クライアントは、放送日前の所定のタイミングで、確保された各ＣＭ枠各々に割り付ける素材略号を、放送局に通知する。結果、放送局のシステムに、図８に示すような割り付け情報が登録される。
【０１１９】
放送局のシステム又はオペレータは、任意のタイミングで、図１３に示す素材情報及び図８に示す割り付け情報に基づき、図１２に示すようなＣＭ進行データを作成する。そして、作成されたＣＭ進行データが、所定の記憶装置に記憶される。
【０１２０】
ＣＭ進行データ取得部１１は、放送前の所定のタイミングで、上記ＣＭ進行データを取得する（図９のＳ１０）。その後、判定情報取得部１２は、放送条件及び放送禁止条件を判定するための最新の判定情報を取得する（図９のＳ１１）。
【０１２１】
そして、ＣＭ素材決定部１３は、最新の判定情報と、ＣＭ進行データに含まれる放送条件及び放送禁止条件とに基づき、各ＣＭ枠に放送するＣＭ素材を決定する（図９のＳ１２）。
【０１２２】
例えば、ＣＭ素材決定部１３は、最新の判定情報と、放送条件とに基づき、放送条件を満たすＣＭ素材を抽出する。放送条件を満たすＣＭ素材がない場合、ＣＭ素材決定部１３は、代替ＣＭ素材を、そのＣＭ枠に放送するＣＭ素材として決定する。
【０１２３】
一方、放送条件を満たすＣＭ素材がある場合、そのＣＭ素材に放送禁止条件が対応付けられていないか確認する。対応付けられていない場合、そのＣＭ素材を、そのＣＭ枠に放送するＣＭ素材として決定する。一方、対応付けられている場合、ＣＭ素材決定部１３は、最新の判定情報と、そのＣＭ素材に対応付けられた放送禁止条件とに基づき、放送禁止条件を満たすか判定する。
【０１２４】
満たす場合、ＣＭ素材決定部１３は、代替ＣＭ素材を、そのＣＭ枠に放送するＣＭ素材として決定する。一方、満たさない場合、ＣＭ素材決定部１３は、そのＣＭ素材を、そのＣＭ枠に放送するＣＭ素材として決定する。
【０１２５】
例えば、ＣＭ進行データ取得部１１は、放送日より数日前（例：前日、２日前）、又は、放送日当日の放送開始時刻よりも所定時間前に、放送日の１日分のＣＭ進行データを取得してもよい。そして、ＣＭ素材決定部１３は、そのタイミングで判定情報取得部１２が取得した最新の判定情報に基づき、放送日に含まれるすべてのＣＭ枠各々に放送されるＣＭ素材を決定してもよい。
【０１２６】
その他、ＣＭ進行データ取得部１１は、放送日の当日に、所定時間分のＣＭ進行データを、放送開始よりも所定時間前に取得してもよい。例えば、放送日のＬ時から（Ｌ＋Ｍ）時の間のＣＭ進行データを、放送開始（Ｌ時）よりもＮ時間前の（Ｌ−Ｎ）時に取得してもよい。そして、ＣＭ素材決定部１３は、そのタイミングで判定情報取得部１２が取得した最新の判定情報に基づき、Ｌ時から（Ｌ＋Ｍ）時の間に含まれるＣＭ枠各々に放送されるＣＭ素材を決定してもよい。
【０１２７】
本実施形態の場合、ＣＭ素材決定部１３は、放送条件に基づき放送されると決定されたＣＭ素材であっても、当該ＣＭ素材に放送禁止条件が対応付けられており、かつ、放送禁止条件を満たす場合には、そのＣＭ素材をそのＣＭ枠に放送するＣＭ素材として決定しない。このような場合、ＣＭ素材決定部１３は、あるＣＭ枠（第１のＣＭ枠）に対応付けられている１つ又は複数のＣＭ素材の中から、当該ＣＭ枠（第１のＣＭ枠）で放送されるＣＭ素材を決定できない状況が発生し得る。この場合、ＣＭ素材決定部１３は、予め定められた差替ＣＭ素材を、当該ＣＭ枠（第１のＣＭ枠）で放送されるＣＭ素材として決定する。なお、ＣＭ素材決定部１３は、放送条件に基づき放送されると決定されたＣＭ素材に放送禁止条件が対応付けられていない場合、そのＣＭ素材をそのＣＭ枠に放送されるＣＭ素材として決定する。
【０１２８】
上記「放送条件に基づき放送されると決定されたＣＭ素材」とは、１つのＣＭ枠に対応付けられた複数のＣＭ素材の中から放送条件を満たすものとして決定された１つのＣＭ素材の他、放送条件を対応付けられていないＣＭ枠に対応するＣＭ素材をも含む概念である。本実施形態の場合、放送条件を対応付けられていないＣＭ枠には１つのＣＭ素材が対応付けられており、このＣＭ素材がこのＣＭ枠に放送されると決定される。
【０１２９】
以上説明した本実施形態によれば、第１及び第２の実施形態と同様な作用効果を実現できる。また、放送条件と放送禁止条件とを組み合わせることで、より、放送時間に近いタイミングの状況に応じた適切なＣＭ素材を放送することが可能となる。
【０１３０】
以下、参考形態の例を付記する。
１．  テレビ放送又はラジオ放送のＣＭ（commercial message）枠各々にＣＭ素材を対応付けたＣＭ進行データであって、１つの前記ＣＭ枠に複数の前記ＣＭ素材を対応付けるとともに、対応付けられている複数の前記ＣＭ素材各々が放送される放送条件を定めることが可能な前記ＣＭ進行データを取得するＣＭ進行データ取得手段と、
前記放送条件を満たすか否かを判定するための判定情報を取得する判定情報取得手段と、
前記判定情報と、前記放送条件とに基づき、前記ＣＭ枠各々で放送される前記ＣＭ素材を決定するＣＭ素材決定手段と、
を有するＣＭ管理装置。
２．  １に記載のＣＭ管理装置において、
前記ＣＭ素材決定手段は、前記ＣＭ進行データにおいて１つの前記ＣＭ枠に複数の前記ＣＭ素材が対応付けられている場合、前記判定情報に基づき前記放送条件を満たすと判定された前記ＣＭ素材を、当該ＣＭ枠で放送される前記ＣＭ素材として決定するＣＭ管理装置。
３．  １又は２に記載のＣＭ管理装置において、
前記ＣＭ素材決定手段は、前記ＣＭ進行データにおいて１つの前記ＣＭ枠に１つの前記ＣＭ素材が対応付けられている場合、対応付けられている前記ＣＭ素材を、当該ＣＭ枠で放送される前記ＣＭ素材として決定するＣＭ管理装置。
４．  １から３のいずれかに記載のＣＭ管理装置において、
前記ＣＭ進行データにおいて、１つの前記ＣＭ枠に対応付けられた複数の前記ＣＭ素材各々には、互いに異なる所定の値が対応付けられており、
前記判定情報取得手段は、複数の前記ＣＭ素材に対応付けられた値の中の何れかを、前記判定情報として取得し、
前記ＣＭ素材決定手段は、前記判定情報取得手段が取得した値に対応する前記ＣＭ素材を、当該ＣＭ枠で放送される前記ＣＭ素材として決定するＣＭ管理装置。
５．  １から４のいずれかに記載のＣＭ管理装置において、
前記ＣＭ進行データでは、前記ＣＭ素材各々の放送が禁止される放送禁止条件をさらに定めることが可能であり、
前記判定情報取得手段は、前記判定情報として、前記放送禁止条件を判定するための情報をさらに取得し、
前記ＣＭ素材決定手段は、前記判定情報と、前記放送条件と、前記放送禁止条件とに基づいて、前記ＣＭ枠各々で放送される前記ＣＭ素材を決定するＣＭ管理装置。
６．  ５に記載のＣＭ管理装置において、
前記ＣＭ素材決定手段は、前記放送条件に基づき前記ＣＭ枠で放送されると決定された前記ＣＭ素材に前記放送禁止条件が定められている場合、前記判定情報と、前記放送禁止条件とに基づいて、当該ＣＭ素材が前記放送禁止条件を満たさないか判定し、満たさない場合、当該ＣＭ素材を当該ＣＭ枠で放送される前記ＣＭ素材として決定し、満たす場合、予め定められた差替ＣＭ素材を、当該ＣＭ枠で放送される前記ＣＭ素材として決定するＣＭ管理装置。
７．  ６に記載のＣＭ管理装置において、
前記ＣＭ素材決定手段は、前記放送条件に基づき前記ＣＭ枠で放送されると決定された前記ＣＭ素材に前記放送禁止条件が定められていない場合、当該ＣＭ素材を当該ＣＭ枠で放送される前記ＣＭ素材として決定するＣＭ管理装置。
８．  １から７のいずれかに記載のＣＭ管理装置において、
前記ＣＭ素材決定手段は、第１の前記ＣＭ枠に対応付けられている前記ＣＭ素材の中から前記第１のＣＭ枠で放送される前記ＣＭ素材を決定できない場合、予め定められた差替ＣＭ素材を、前記第１のＣＭ枠で放送される前記ＣＭ素材として決定するＣＭ管理装置。
９．  テレビ放送又はラジオ放送のＣＭ枠各々にＣＭ素材を対応付けるとともに、前記ＣＭ素材各々の放送が禁止される放送禁止条件を定めることが可能なＣＭ進行データを取得するＣＭ進行データ取得手段と、
前記放送禁止条件を判定するための判定情報を取得する判定情報取得手段と、
前記判定情報と、前記放送禁止条件とに基づいて、前記ＣＭ枠各々に対応付けられた前記ＣＭ素材が前記放送禁止条件を満たさないか判定し、満たさない場合、当該ＣＭ素材を当該ＣＭ枠で放送される前記ＣＭ素材として決定し、満たす場合、予め定められた差替ＣＭ素材を、当該ＣＭ枠で放送される前記ＣＭ素材として決定するＣＭ素材決定手段と、
を有するＣＭ管理装置。
１０．  コンピュータが、
テレビ放送又はラジオ放送のＣＭ枠各々にＣＭ素材を対応付けたＣＭ進行データであって、１つの前記ＣＭ枠に複数の前記ＣＭ素材を対応付けるとともに、対応付けられている複数の前記ＣＭ素材各々が放送される放送条件を定めることが可能な前記ＣＭ進行データを取得するＣＭ進行データ取得工程と、
前記放送条件を満たすか否かを判定するための判定情報を取得する判定情報取得工程と、
前記判定情報と、前記放送条件とに基づき、前記ＣＭ枠各々で放送される前記ＣＭ素材を決定するＣＭ素材決定工程と、
を実行するＣＭ管理方法。
１０−２．  １０に記載のＣＭ管理方法において、
前記ＣＭ素材決定工程では、前記ＣＭ進行データにおいて１つの前記ＣＭ枠に複数の前記ＣＭ素材が対応付けられている場合、前記判定情報に基づき前記放送条件を満たすと判定された前記ＣＭ素材を、当該ＣＭ枠で放送される前記ＣＭ素材として決定するＣＭ管理方法。
１０−３．  １０又は１０−２に記載のＣＭ管理方法において、
前記ＣＭ素材決定工程では、前記ＣＭ進行データにおいて１つの前記ＣＭ枠に１つの前記ＣＭ素材が対応付けられている場合、対応付けられている前記ＣＭ素材を、当該ＣＭ枠で放送される前記ＣＭ素材として決定するＣＭ管理方法。
１０−４．  １０から１０−３のいずれかに記載のＣＭ管理方法において、
前記ＣＭ進行データにおいて、１つの前記ＣＭ枠に対応付けられた複数の前記ＣＭ素材各々には、互いに異なる所定の値が対応付けられており、
前記判定情報取得工程では、複数の前記ＣＭ素材に対応付けられた値の中の何れかを、前記判定情報として取得し、
前記ＣＭ素材決定工程では、前記判定情報取得工程で取得された値に対応する前記ＣＭ素材を、当該ＣＭ枠で放送される前記ＣＭ素材として決定するＣＭ管理方法。
１０−５．  １０から１０−４のいずれかに記載のＣＭ管理方法において、
前記ＣＭ進行データでは、前記ＣＭ素材各々の放送が禁止される放送禁止条件をさらに定めることが可能であり、
前記判定情報取得工程では、前記判定情報として、前記放送禁止条件を判定するための情報をさらに取得し、
前記ＣＭ素材決定工程では、前記判定情報と、前記放送条件と、前記放送禁止条件とに基づいて、前記ＣＭ枠各々で放送される前記ＣＭ素材を決定するＣＭ管理方法。
１０−６．  １０−５に記載のＣＭ管理方法において、
前記ＣＭ素材決定工程では、前記放送条件に基づき前記ＣＭ枠で放送されると決定された前記ＣＭ素材に前記放送禁止条件が定められている場合、前記判定情報と、前記放送禁止条件とに基づいて、当該ＣＭ素材が前記放送禁止条件を満たさないか判定し、満たさない場合、当該ＣＭ素材を当該ＣＭ枠で放送される前記ＣＭ素材として決定し、満たす場合、予め定められた差替ＣＭ素材を、当該ＣＭ枠で放送される前記ＣＭ素材として決定するＣＭ管理方法。
１０−７．  １０−６に記載のＣＭ管理方法において、
前記ＣＭ素材決定工程では、前記放送条件に基づき前記ＣＭ枠で放送されると決定された前記ＣＭ素材に前記放送禁止条件が定められていない場合、当該ＣＭ素材を当該ＣＭ枠で放送される前記ＣＭ素材として決定するＣＭ管理方法。
１０−８．  １０から１０−７のいずれかに記載のＣＭ管理方法において、
前記ＣＭ素材決定工程では、第１の前記ＣＭ枠に対応付けられている前記ＣＭ素材の中から前記第１のＣＭ枠で放送される前記ＣＭ素材を決定できない場合、予め定められた差替ＣＭ素材を、前記第１のＣＭ枠で放送される前記ＣＭ素材として決定するＣＭ管理方法。
１１．  コンピュータを、
テレビ放送又はラジオ放送のＣＭ枠各々にＣＭ素材を対応付けたＣＭ進行データであって、１つの前記ＣＭ枠に複数の前記ＣＭ素材を対応付けるとともに、対応付けられている複数の前記ＣＭ素材各々が放送される放送条件を定めることが可能な前記ＣＭ進行データを取得するＣＭ進行データ取得手段、
前記放送条件を満たすか否かを判定するための判定情報を取得する判定情報取得手段、
前記判定情報と、前記放送条件とに基づき、前記ＣＭ枠各々で放送される前記ＣＭ素材を決定するＣＭ素材決定手段、
として機能させるためのプログラム。
１１−２．  １１に記載のプログラムにおいて、
前記ＣＭ素材決定手段に、前記ＣＭ進行データにおいて１つの前記ＣＭ枠に複数の前記ＣＭ素材が対応付けられている場合、前記判定情報に基づき前記放送条件を満たすと判定された前記ＣＭ素材を、当該ＣＭ枠で放送される前記ＣＭ素材として決定させるプログラム。
１１−３．  １１又は１１−２に記載のプログラムにおいて、
前記ＣＭ素材決定手段に、前記ＣＭ進行データにおいて１つの前記ＣＭ枠に１つの前記ＣＭ素材が対応付けられている場合、対応付けられている前記ＣＭ素材を、当該ＣＭ枠で放送される前記ＣＭ素材として決定させるプログラム。
１１−４．  １１から１１−３のいずれかに記載のプログラムにおいて、
前記ＣＭ進行データにおいて、１つの前記ＣＭ枠に対応付けられた複数の前記ＣＭ素材各々には、互いに異なる所定の値が対応付けられており、
前記判定情報取得手段に、複数の前記ＣＭ素材に対応付けられた値の中の何れかを、前記判定情報として取得させ、
前記ＣＭ素材決定手段に、前記判定情報取得手段が取得した値に対応する前記ＣＭ素材を、当該ＣＭ枠で放送される前記ＣＭ素材として決定させるプログラム。
１１−５．  １１から１１−４のいずれかに記載のプログラムにおいて、
前記ＣＭ進行データでは、前記ＣＭ素材各々の放送が禁止される放送禁止条件をさらに定めることが可能であり、
前記判定情報取得手段に、前記判定情報として、前記放送禁止条件を判定するための情報をさらに取得させ、
前記ＣＭ素材決定手段に、前記判定情報と、前記放送条件と、前記放送禁止条件とに基づいて、前記ＣＭ枠各々で放送される前記ＣＭ素材を決定させるプログラム。
１１−６．  １１−５に記載のプログラムにおいて、
前記ＣＭ素材決定手段に、前記放送条件に基づき前記ＣＭ枠で放送されると決定された前記ＣＭ素材に前記放送禁止条件が定められている場合、前記判定情報と、前記放送禁止条件とに基づいて、当該ＣＭ素材が前記放送禁止条件を満たさないか判定させ、満たさない場合、当該ＣＭ素材を当該ＣＭ枠で放送される前記ＣＭ素材として決定させ、満たす場合、予め定められた差替ＣＭ素材を、当該ＣＭ枠で放送される前記ＣＭ素材として決定させるプログラム。
１１−７．  １１−６に記載のプログラムにおいて、
前記ＣＭ素材決定手段に、前記放送条件に基づき前記ＣＭ枠で放送されると決定された前記ＣＭ素材に前記放送禁止条件が定められていない場合、当該ＣＭ素材を当該ＣＭ枠で放送される前記ＣＭ素材として決定させるプログラム。
１１−８．  １１から１１−７のいずれかに記載のプログラムにおいて、
前記ＣＭ素材決定手段に、第１の前記ＣＭ枠に対応付けられている前記ＣＭ素材の中から前記第１のＣＭ枠で放送される前記ＣＭ素材を決定できない場合、予め定められた差替ＣＭ素材を、前記第１のＣＭ枠で放送される前記ＣＭ素材として決定させるプログラム。
１２．  コンピュータが、
テレビ放送又はラジオ放送のＣＭ枠各々にＣＭ素材を対応付けるとともに、前記ＣＭ素材各々の放送が禁止される放送禁止条件を定めることが可能なＣＭ進行データを取得するＣＭ進行データ取得工程と、
前記放送禁止条件を判定するための判定情報を取得する判定情報取得工程と、
前記判定情報と、前記放送禁止条件とに基づいて、前記ＣＭ枠各々に対応付けられた前記ＣＭ素材が前記放送禁止条件を満たさないか判定し、満たさない場合、当該ＣＭ素材を当該ＣＭ枠で放送される前記ＣＭ素材として決定し、満たす場合、予め定められた差替ＣＭ素材を、当該ＣＭ枠で放送される前記ＣＭ素材として決定するＣＭ素材決定工程と、
を実行するＣＭ管理方法。
１３．  コンピュータを、
テレビ放送又はラジオ放送のＣＭ枠各々にＣＭ素材を対応付けるとともに、前記ＣＭ素材各々の放送が禁止される放送禁止条件を定めることが可能なＣＭ進行データを取得するＣＭ進行データ取得手段、
前記放送禁止条件を判定するための判定情報を取得する判定情報取得手段、
前記判定情報と、前記放送禁止条件とに基づいて、前記ＣＭ枠各々に対応付けられた前記ＣＭ素材が前記放送禁止条件を満たさないか判定し、満たさない場合、当該ＣＭ素材を当該ＣＭ枠で放送される前記ＣＭ素材として決定し、満たす場合、予め定められた差替ＣＭ素材を、当該ＣＭ枠で放送される前記ＣＭ素材として決定するＣＭ素材決定手段、
として機能させるためのプログラム。
【符号の説明】
【０１３１】
１Ａ    ＣＰＵ
２Ａ    ＲＡＭ
３Ａ    ＲＯＭ
４Ａ    表示制御部
５Ａ    ディスプレイ
６Ａ    操作受付部
７Ａ    操作部
８Ａ    通信部
９Ａ    補助記憶装置
１０Ａ  バス
１０    ＣＭ管理装置
１１    ＣＭ進行データ取得部
１２    判定情報取得部
１３    ＣＭ素材決定部
【図１】
0006520217.tif 000002
【図２】
0006520217.tif 000003
【図３】
0006520217.tif 000004
【図４】
0006520217.tif 000005
【図５】
0006520217.tif 000006
【図６】
0006520217.tif 000007
【図７】
0006520217.tif 000008
【図８】
0006520217.tif 000009
【図９】
0006520217.tif 000010
【図１０】
0006520217.tif 000011
【図１１】
0006520217.tif 000012
【図１２】
0006520217.tif 000013
【図１３】
0006520217.tif 000014